(57)【要約】【課題】ユーザ側で画像データの貼り付ける手間が省け、作業性の向上を図ることができるとともに、ユーザが希望する任意の画像データを貼り付けることができるデータ処理装置等を提供する。【解決手段】ユーザ端末１からネットワーク３を通じてリンク情報付き文書データを受信可能な受信手段２５Ａと、受信した文書データから前記リンク情報を抽出するリンク情報抽出手段２１と、原稿画像を読み取るためのスキャナ手段２６と、画像データ貼り付け手段２１を備えている。画像データ貼り付け手段２１は、スキャナ手段２６により読み取られた画像データを、前記リンク情報抽出手段２１により抽出されたリンク情報に従って文書データに貼り付ける。【選択図】  図１
2005333477.tif 000002
【特許請求の範囲】
【請求項１】
ユーザ端末からネットワークを通じてリンク情報付き文書データを受信可能な受信手段と、
受信した文書データから前記リンク情報を抽出するリンク情報抽出手段と、
原稿画像を読み取るためのスキャナ手段と、
前記スキャナ手段により読み取られた画像データを、前記リンク情報抽出手段により抽出されたリンク情報に従って文書データに貼り付ける画像データ貼り付け手段と、
を備えていることを特徴とするデータ処理装置。
【請求項２】
タッチ入力が可能な表示部を有する操作パネルを備え、
前記表示部には、前記リンク情報に従って画像データが貼り付けられる文書データの貼り付け領域と、この貼り付け領域に貼り付けられる画像データを得るための前記スキャナ手段による読み取り開始キーとが表示されるものとなされている請求項１に記載のデータ処理装置。
【請求項３】
タッチ入力が可能な表示部を有する操作パネルを備え、
前記表示部には、ユーザが作成したプログラムを文書データと共に前記受信手段が受信した際に、前記スキャナ手段による読み取り動作開始用の操作キーが表示されるものとなされ、
前記画像データ貼り付け手段は、前記操作キーが押されてスキャナ手段による読み取り動作が開始されると、前記プログラムに従って貼り付け処理を行うものとなされている請求項１に記載のデータ処理装置。
【請求項４】
前記リンク情報付き文書データは不特定ユーザ用の文書データであり、ユーザ端末から送信された前記文書データを、開放可能に保存するボックスを備えている請求項１に記載のデータ処理装置。
【請求項５】
ユーザ端末からネットワークを通じてリンク情報付き文書データを受信するステップと、
受信した文書データから前記リンク情報を抽出するステップと、
原稿画像をスキャナ手段により読み取るステップと、
前記スキャナ手段により読み取られた画像データを、前記抽出されたリンク情報に従って文書データに貼り付けるステップと、
を備えていることを特徴とするデータ処理方法。
【請求項６】
タッチ入力が可能な表示部を有する操作パネルの前記表示部に、前記リンク情報に従って画像データが貼り付けられる文書データの貼り付け領域と、この貼り付け領域に貼り付けられる画像データを得るための前記スキャナ手段による読み取り開始キーとが表示される請求項５に記載のデータ処理方法。
【請求項７】
タッチ入力が可能な表示部を有する操作パネルの前記表示部に、ユーザが作成したプログラムを文書データと共に受信した際に、前記スキャナ手段による読み取り動作開始用の操作キーが表示され、この操作キーが押されてスキャナ手段による読み取り動作が開始されると、前記プログラムに従って貼り付け処理が行われる請求項５に記載のデータ処理方法。
【請求項８】
前記リンク情報付き文書データは不特定ユーザ用の文書データであり、ユーザ端末から送信された前記文書データを、ボックスに開放可能に保存する請求項５に記載のデータ処理方法。
【発明の詳細な説明】
【技術分野】
【０００１】
この発明は、ネットワーク上に配置されたＭＦＰ（Ｍｕｌｔｉ  Ｆｕｎｃｔｉｏｎ  Ｐｅｒｉｐｈｅｒａｌｓ：多機能形ディジタル複写機）などに適用されるデータ処理装置及びデータ処理方法に関する。
【背景技術】
【０００２】
ネットワークの普及に伴って、企業やオフィスなどでは、ＭＦＰなどのデータ処理装置をネットワークを介してパーソナルコンピュータ等からなるユーザ端末に接続して使用する形態が多くなってきている。
【０００３】
例えばユーザが画像を含む文書を作成する場合、従来では、ユーザがデータ処理装置に行ってスキャナ部で原稿画像を読み取らせ、得られた画像データをデータ処理装置がユーザ端末に送信し、ユーザ側では、受信した画像データを当該ユーザ端末上で原稿の所定位置に貼る付ける作業を行って文書を作成していた。
【０００４】
なお、動画情報を扱うデータ処理装置として、サーバからの指示により情報収集装置からユーザ端末に直接に動画情報を配信させ、ユーザ端末では配信された所定数の動画像を予め決められた所定の画面上に合成して表示するものが知られている（例えば、特許文献１参照）。
【特許文献１】特開２００３−２０４５３４号公報
【発明の開示】
【発明が解決しようとする課題】
【０００５】
しかしながら、データ処理装置で読みとった画像データをユーザ端末側で貼り付ける上記従来のものは、ユーザが自身のユーザ端末上で画像データの貼り付け作業を行わなければならず、手間がかかるという問題があった。
【０００６】
また、前記特許文献１に開示された技術では、ユーザ端末に配信される動画情報は情報収集装置が所有するものに限定され、ユーザが臨む任意の画像を合成することはできなかった。
【０００７】
この発明は、上記実情に鑑みてなされたものであり、ユーザ側で画像データの貼り付ける手間が省け、作業性の向上を図ることができるとともに、ユーザが希望する任意の画像データを貼り付けることができるデータ処理装置及びデータ処理方法を提供することを課題とする。
【課題を解決するための手段】
【０００８】
上記課題は以下の手段によって解決される。
（１）ユーザ端末からネットワークを通じてリンク情報付き文書データを受信可能な受信手段と、受信した文書データから前記リンク情報を抽出するリンク情報抽出手段と、原稿画像を読み取るためのスキャナ手段と、前記スキャナ手段により読み取られた画像データを、前記リンク情報抽出手段により抽出されたリンク情報に従って文書データに貼り付ける画像データ貼り付け手段と、を備えていることを特徴とするデータ処理装置。
【０００９】
このデータ処理装置では、ユーザ側で作成されたリンク情報付き文書データをネットワークを介して受信すると、文書データからリンク情報が抽出される。一方、スキャナ手段により原稿画像が読み取られる。そして、前記抽出されたリンク情報に従って、前記文書データに、前記スキャナ手段により読み取られた画像データが貼り付けられる。
（２）タッチ入力が可能な表示部を有する操作パネルを備え、前記表示部には、前記リンク情報に従って画像データが貼り付けられる文書データの貼り付け領域と、この貼り付け領域に貼り付けられる画像データを得るための前記スキャナ手段による読み取り開始キーとが表示されるものとなされている前項１に記載のデータ処理装置。
（３）タッチ入力が可能な表示部を有する操作パネルを備え、前記表示部には、ユーザが作成したプログラムを文書データと共に前記受信手段が受信した際に、前記スキャナ手段による読み取り動作開始用の操作キーが表示されるものとなされ、前記画像データ貼り付け手段は、前記操作キーが押されてスキャナ手段による読み取り動作が開始されると、前記プログラムに従って貼り付け処理を行うものとなされている前項１に記載のデータ処理装置。
（４）前記リンク情報付き文書データは不特定ユーザ用の文書データであり、ユーザ端末から送信された前記文書データを、開放可能に保存するボックスを備えている前項１に記載のデータ処理装置。
（５）ユーザ端末からネットワークを通じてリンク情報付き文書データを受信するステップと、受信した文書データから前記リンク情報を抽出するステップと、原稿画像をスキャナ手段により読み取るステップと、前記スキャナ手段により読み取られた画像データを、前記抽出されたリンク情報に従って文書データに貼り付けるステップと、を備えていることを特徴とするデータ処理方法。
【００１０】
このデータ処理方法では、ユーザ側で作成されたリンク情報付き文書データをネットワークを介して受信すると、文書データからリンク情報が抽出され、このリンク情報に従って、前記文書データに、スキャナ手段により読み取られた画像データが貼り付けられる。
（６）タッチ入力が可能な表示部を有する操作パネルの前記表示部に、前記リンク情報に従って画像データが貼り付けられる文書データの貼り付け領域と、この貼り付け領域に貼り付けられる画像データを得るための前記スキャナ手段による読み取り開始キーとが表示される前項５に記載のデータ処理方法。
（７）タッチ入力が可能な表示部を有する操作パネルの前記表示部に、ユーザが作成したプログラムを文書データと共に受信した際に、前記スキャナ手段による読み取り動作開始用の操作キーが表示され、この操作キーが押されてスキャナ手段による読み取り動作が開始されると、前記プログラムに従って貼り付け処理が行われる前項５に記載のデータ処理方法。
（８）前記リンク情報付き文書データは不特定ユーザ用の文書データであり、ユーザ端末から送信された前記文書データを、ボックスに開放可能に保存する前項５に記載のデータ処理方法。
【発明の効果】
【００１１】
請求項１に係る発明によれば、リンク情報に従って、ユーザ側で作成された文書データに、スキャナ手段によって読みとられた画像データが貼り付けられるから、従来のように、ユーザ端末による画像データの貼り付け作業が不要になり、文書作成効率の向上を図ることができる。
【００１２】
しかも、スキャナ手段により読みとられる原稿画像は任意のものを使用できるから、ユーザが希望する画像データが貼り付けられた文書を作成することができる。
【００１３】
請求項２に係る発明によれば、操作パネルの表示部には、リンク情報に従って画像データが貼り付けられる文書データの貼り付け領域と、この貼り付け領域に貼り付けられる画像データを得るための前記スキャナ手段による読み取り開始キーとが表示されるから、ユーザは貼り付け領域を確認しながら貼り付けを行わせることができる。
【００１４】
請求項３に係る発明によれば、操作パネルの前記表示部に、ユーザが作成したプログラムが文書データと共に受信された際に、スキャナ手段による読み取り動作開始用の操作キーが表示され、この操作キーが押されてスキャナ手段による読み取り動作が開始されると、前記プログラムに従って貼り付け処理が行われる。従って、操作キーを操作しない限り、他人が勝手にスキャナ部を起動させて画像データを読み取っても、文書データへの貼り付けは行われないから、他人による意図しない文書の作成を防止することができる。
【００１５】
請求項４に係る発明によれば、ユーザから送信された不特定ユーザ用の文書データが、ボックスに開放可能に保存されるから、不特定ユーザは保存されている文書データを用いて、好みの画像データを貼り付けることができる。
【００１６】
請求項５に係る発明によれば、リンク情報に従って、ユーザ側で作成された文書データに、スキャナ手段によって読みとられた画像データが貼り付けられるから、従来のように、ユーザ端末による画像データの貼り付け作業が不要になり、文書作成効率の向上を図ることができる。また、スキャナ手段により読みとられる原稿画像は任意のものを使用できるから、ユーザが希望する画像データが貼り付けられた文書を作成することができる。
【００１７】
請求項６に係る発明によれば、ユーザは操作パネルの表示部に表示された貼り付け領域を確認しながら貼り付けを行わせることができる。
【００１８】
請求項７に係る発明によれば、操作パネルの表示部に表示された操作キーを操作しない限り、他人が勝手にスキャナ部を起動させて画像データを読み取っても、文書データへの貼り付けは行われないから、他人による意図しない文書の作成を防止することができる。
【００１９】
請求項８に係る発明によれば、ユーザから送信された不特定ユーザ用の文書データが、ボックスに開放可能に保存されるから、不特定ユーザは保存されている文書データを用いて、好みの画像データを貼り付けることができる。
【発明を実施するための最良の形態】
【００２０】
以下、この発明の一実施形態を図面に基づいて説明する。
【００２１】
図１は、この発明の一実施形態に係るデータ処理装置が用いられたデータ処理システムを示す構成図である。
【００２２】
図１において、この画像処理システムＡは、ユーザが使用する例えばパーソルコンピュータからなるユーザ端末１と、データ処理装置２とからなり、ユーザ端末１とデータ処理装置２とは、ネットワーク３を介して接続されている。前記データ処理装置２は、例えば前述のＭＦＰからなる。
【００２３】
図２は、データ処理装置２の電気的構成を示すブロック図である。
【００２４】
図２において、データ処理装置２は、ＣＰＵ２１を備え、ＣＰＵ２１のバス２２には、ＲＯＭ２３、ＲＡＭ２４、送受信部２５、スキャナ部２６、記憶部２７、プリンタ部２８、および操作パネル２９などが電気的に接続されている。
【００２５】
前記ＲＯＭ２３には、前記ＣＰＵ２１が実行するプログラムなどが格納され、前記ＲＡＭ２４は、ＣＰＵ２１がプログラムを実行する際の作業領域を提供している。
【００２６】
前記送受信部２５は、ユーザ端末１から送信されてきた文書データなどを受信する受信部２５Ａと、データ処理装置２で作成した文書をユーザ端末１等に送信する送信部２５Ｂとを備えている。
【００２７】
前記スキャナ部２６は、原稿台（図示せず）に載置された原稿画像を読み取るものである。なお、以下の説明において、読み取りを「スキャン」ともいう。
【００２８】
前記記憶部２７は、受信したユーザ端末１からの文書データやスキャナ部２６で読み取った画像データを一時記憶するものである。
【００２９】
前記プリンタ部２８は、スキャナ部でスキャンした画像データや、この画像データを前記文書データに貼り付けた後のデータ等を、用紙に印刷するものである。
【００３０】
前記操作パネル２９は、データ処理装置２の各種操作を指示するためのものであり、表示部２９０を有している。この表示部２９０は、図３に示すように、解像度キー２９ａ、原稿画質選択キー２９ｂ、読込範囲キー２９ｃ、倍率設定キー２９ｄ、「次へ」キー２９ｅ、「読み込み」キー２９ｆ、画像リンク表示領域２９ｇ、「終了」キー２９ｈなどを表示可能である。
【００３１】
前記ＣＰＵ２１は、データ処理装置２の全体を統括的に制御するほか、ユーザ端末１から送信されてきた文書データからリンク情報を抽出する機能や、スキャナ部２６で読み取った画像データを、前記リンク情報に従ってリンク位置に貼り付け処理する機能を有する。
【００３２】
上記構成の画像処理システムでは、基本的には図１に示すように、ユーザがユーザ端末１によりリンク情報付き文書データを作成し（丸数字１）、そのリンク情報付き文書をネットワーク３を通じてデータ処理装置２に送信する（丸数字２）。データ処理装置２は、ＣＰＵ２１の制御に従い、受信したリンク情報付き文書データを記憶する。ついで、ユーザが貼り付けたい原稿画像をスキャナ部２６でスキャンすると（丸数字３）、データ処理装置２は、スキャンして得られた画像データを、受信した文書データのリンク部分に貼り付けて文書を作成する（丸数字４）。
【００３３】
ユーザ側およびデータ処理装置２での具体的処理を簡単に説明する。
【００３４】
＜ユーザが行うこと＞
画像入り文書を作成したい場合、画像を挿入したい位置に画像データのリンク情報を貼る。リンク情報を貼る方法としては、次の方法がある。
（Ａ）ハイパーリンクのような画像データの場所、画像データのファイル名を持ち、それらを予め文書データに記入しておく。
（Ｂ）無地のダミー画像を貼り付けておき、無地画像をスキャンした画像データに置き換える。
【００３５】
ユーザは、このように文書データを作成後、この文書データをデータ処理装置２に送信する。その後、ユーザはデータ処理装置２により原稿画像をスキャンして読み込ませる。すると、データ処理装置２では、スキャンして得た画像データを、付与されたリンク情報に従い貼り付けて文書が完了する。その貼り付け時に加工編集を適宜行ってもよい。
＜データ処理装置が行うこと＞
データ処理装置２は、画像をスキャナ部２６で読み取り、その画像データをリンク情報に従い貼り付ける。
（ａ）ユーザが上記（Ａ）の方法を行った場合、リンク情報付きの文書データからリンク情報を探し出し、リンク情報が示す位置にスキャンした画像データを配置する。
（ｂ）ユーザが上記（Ｂ）の方法を行った場合、文書データの画像部分を探し出し、画像サイズから読み込み範囲や解像度の設定をユーザ指示または自動で行い、ダミー無地画像とスキャンして得た画像データとを置き換える。
（ｃ）上記（ａ）（ｂ）において、リンク情報が複数存在する場合には、リンク情報の数の分、スキャンを促すメッセージを操作パネル２９の表示部２９０に表示し、複数回スキャンを行う。
（ｄ）上記（ｂ）において、文書データにダミー画像と残しておく画像が存在するとき、ダミー画像と非ダミー画像とを判別する手段を設ける。
【００３６】
（ｄ−１）ユーザ端末１側で無地画像や枠のみの画像が貼り付けられている場合には、データ処理装置２側でダミー画像と判断し、画像を挿入する。
【００３７】
（ｄ−２）操作パネル２９の表示部２９０に、文書データに貼り付けられたダミー画像をサムネイルで表示し、差し替えるか否かを問う。
【００３８】
このように、ユーザがリンク情報付きの文書データを送信してから、原稿画像をスキャンすれば、スキャンにより得られた画像データが自動的にデータ処理装置でリンク位置に貼り付けられるので、ユーザが自分のユーザ端末１で画像データを貼り付ける手間が省ける。しかも、ユーザが望む任意の原稿画像を文書データに貼り付けることができる。
【００３９】
前記データ処理装置２のＣＰＵ２１が行う処理の流れを、図４のフローチャートを参照して説明する。
【００４０】
図４において、Ｓ１０１で、ＣＰＵ２１はリンク情報付きの文書データを受信部２５Ａが受信したことを検出すると、受信した文書データを記憶部２７に記憶させた後、Ｓ１０２でリンク情報の検索を行う。次いで、Ｓ１０３ではリンク情報を抽出したか否かを判断し、リンク情報を抽出した場合には（Ｓ１０３の判断がＹＥＳ）、Ｓ１０４では、ユーザに画像をスキャンさせるためのメッセージを表示部２９０に表示させる。
【００４１】
例えば、この実施形態では図３に示すように、画像リンク表示領域２９ｇに、文書データと今回抽出したリンク情報に基づく画像データの貼り付け領域を表示し、さらに表示部２９０の上部には、「画像リンクがみつかりました。原稿をセットして読み込みボタンを押して下さい。」というメッセージを表示する。
【００４２】
この後、Ｓ１０５では、スキャン開始が指示されか否かを判断し、スキャン開始が指示されると（Ｓ１０５に判断がＹＥＳ）、Ｓ１０６に進む。スキャン開始が指示されなければ（Ｓ１０５の判断がＮＯ）、Ｓ１０５に待機してスキャン開始の指示を待つ。
【００４３】
Ｓ１０６では、スキャナ部２６にスキャン動作を行わせ、Ｓ１０７では、スキャン画像を貼り付けるべきリンク位置に貼り付けると共にリンク情報を削除した後、Ｓ１０２に戻り、Ｓ１０２及びＳ１０３の処理を繰り返す。
【００４４】
一方、Ｓ１０３において、リンク情報が抽出されない場合には（Ｓ１０３の判断がＮＯ）、リンク情報の抽出及び画像データの貼り付けを終了したから、Ｓ１０８では、完成した文書データを記憶部２７に保存するか、ユーザに送信して終了する。
【００４５】
図５は、この発明の他の実施形態に係るデータ処理装置２が用いられたデータ処理システムを、処理の手順と共に示す構成図である。
【００４６】
ユーザがリンク情報付き文書データを送信した後、他人が勝手にスキャンを始めてしまうと、ユーザが意図したものと違う文書が作成されるおそれがある。また、ユーザがリンク情報付き文書データを送信してから当該ユーザが所定の貼り付け画像をスキャンするまで操作パネル２９をロックしておくのは操作上使いにくくなる。そこで、これに対応した処理を行えるようにしたものである。
【００４７】
すなわち、全体の構成は変わらないが、ＣＰＵ２１はリンク情報を抽出するほか、ユーザが作成した貼り付け処理用プログラムを抽出する機能を持っている。
【００４８】
また、データ処理装置２が前記プログラムを受け取った際に、前記操作パネル２９の表示部２９０には、当該ユーザがスキャナ部２６を起動させるためのワンタッチキー（たとえば図３に示す「読み込み」キー）を表示させ、このキーを押すことによりスキャンを開始させることができるようになっている。
【００４９】
なお、ユーザが操作パネル２９上で複雑な操作をしなくてもよいように、ユーザがユーザ端末１上で種々の設定を行い、データ処理装置２にリンク情報付きの文書データを送信するとともに、設定をワンタッチキーに登録するようにしても良い。ワンタッチキーに登録できるものとしては、解像度や読み込み範囲、画像を貼り付ける順番、完成された文書の送信先等がある。
【００５０】
上記構成において、図１及び図４に示した基本動作と同様に、まずユーザがユーザ端末１によりリンク情報付き文書を作成するとともに（図５の丸数字１）、さらに貼り付け処理用プログラムを作成して（丸数字２）、通信先や原稿モードを設定する。そのリンク情報付き文書を前記プログラムと共に前記ネットワーク３を通じて前記データ処理装置２に送信する（丸数字３）。
【００５１】
前記データ処理装置２は、受信したリンク情報付き文書を記憶部２７に記憶し、プログラムを受け取り、スキャナ部２６を起動するためのワンタッチキーを表示部２９０に表示させる（丸数字４）。ついで、ユーザがワンタッチキーを押し下げると、データ処理装置２はスキャン動作を開始したのち、前記貼り付け処理用プログラム通りの処理を実行し、スキャンにより得られた画像データを、受信した文書データのリンク部分に貼り付けて文書を作成する（丸数字５）。
【００５２】
このように、ワンタッチキーを操作しない限り貼り付けが行われないから、ユーザが文書を作成してデータ処理装置２に送信した後、他人が勝手に原稿画像をスキャンすることによる意図しない文書の作成が未然に防止される。
【００５３】
図５に示したデータ処理装置２のＣＰＵ２１が行う処理の流れを、図６のフローチャートを参照して説明する。
【００５４】
図６において、Ｓ２０１で、ＣＰＵ２１はリンク情報付きの文書データ及びプログラムを受信部２５Ａが受信したことを検出すると、ボックス２７に前記文書データ及びプログラムを格納したのち、Ｓ２０２でリンク情報の検索を行う。
【００５５】
次いで、Ｓ２０３ではリンク情報を抽出したか否かを判断し、リンク情報を抽出した場合には（Ｓ２０３の判断がＹＥＳ）、Ｓ２０４では、表示部２９０に「ワンタッチキー」を表示させる。
【００５６】
この後、Ｓ２０５では、ワンタチキーが押されたか否かを判断し、ワンタチキーが押されると（Ｓ２０５の判断がＹＥＳ）、Ｓ２０６に進む。ワンタッチキーが押されなければ（Ｓ２０５の判断がＮＯ）、Ｓ２０５に待機してワンタチキーが押されるのを待つ。
【００５７】
Ｓ２０６では、スキャナ部２６にスキャン動作を行わせ、Ｓ２０７では、プログラムを実行し、スキャン画像をリンク位置に貼り付けてからリンク情報を削除した後、Ｓ２０２に戻り、Ｓ２０２及びＳ２０３の処理を繰り返す。
【００５８】
一方、Ｓ２０３において、リンク情報が抽出されない場合には（Ｓ２０３の判断がＮＯ）、リンク情報の抽出及び画像データの貼り付けを終了したから、Ｓ２０８では、完成した文書データを記憶部２７に保存するか、ユーザに送信して終了する。
【００５９】
なお、この例においては、ワンタッチキーが押下されるまで待つように構成している（Ｓ２０５）が、他のジョブ（受信部２５Ａで受信した他の文書データを印刷するジョブや、リンク情報付きの文書データに貼り付ける画像データをスキャンするためではなく、別途、スキャナ部２６を動作させてスキャンさせた画像をプリンタ部２８で印刷したり、記憶部２７に保存させたり、ユーザに送信させたりするジョブ）を受け付け、さらには、ジョブを実行できるように構成しても良い。
【００６０】
図７は、この発明のさらに他の実施形態に係るデータ処理装置２を使用したデータ処理システムを、処理手順と共に示す構成図である。
【００６１】
全体の基本構成は変わらないが、リンク情報付き文書を作成するユーザと、画像データを貼り付けるユーザとが異なる場合を想定したものであり、前記記憶部２７は、前記送受信部２５により受信した文書データを、公開可能に保存するボックス機能をもっている。
【００６２】
ユーザは、不特定ユーザに使ってもらえるテンプレートのようなリンク情報付き文書（以下、テンプレートともいう）を、ユーザ端末１により作成する。データ処理装置２は、そのテンプレートを記憶部（ボックス）２７に保存して不特定ユーザに開放する。
【００６３】
そして、不特定ユーザが、前記テンプレートに貼り付ける原稿画像のスキャンを開始させると、前記ＣＰＵ２１は、記憶部（ボックス）２７から前記テンプレートを取り出し、リンク情報に従って、スキャンにより得られた画像データを前記テンプレートの所定位置に貼り付ける。
【００６４】
テンプレートを作成するユーザは、不特定ユーザに対する最適モードをプログラムの形式で予め設定しておく。不特定ユーザに対する設定内容の例としては、どのような画像に対しても対応できるような設定、画像サイズなどの制限があるときのメッセージ、文書の説明等がある。このような設定を付加しておくことにより、不特定ユーザが一層利用しやすくなる。
【００６５】
上記構成のデータ処理システムでは、ユーザがテンプレートを作成するともに（図７の丸数字１）、さらに不特定ユーザのための最適プログラムを作成して、共通設定やヘルプ設定を行う（丸数字２）。そのリンク情報付き文書をプログラムと共に前記ネットワーク３を通じてデータ処理装置２に送信する（丸数字３）。
【００６６】
データ処理装置２は、受信したリンク情報付き文書を記憶部（ボックス）２７に格納して公開する。テンプレート作成者とは異なる不特定ユーザは、ボックスに格納されているテンプレートを選択し、ユーザが作った設定やヘルプに基づいて、原稿画像をスキャンさせる（丸数字４）。データ処理装置２のＣＰＵ２１はユーザから送られてきたプログラム通りの処理を実行し、画像データを、ボックスから取り出したテンプレートのリンク部分に貼り付けて不特定ユーザ用の文書を合成する。
【００６７】
図７に示した前記データ処理装置２のＣＰＵ２１が行う処理の流れは、図６のＳ２０４において、ユーザが作成したプログラムに従って不特定ユーザの操作用表示を操作パネル２９の表示部２９０に行う点、及びＳ２０５において、操作用表示に基づいてスキャン開始が指示されたかどうかを判断する点を除いて、図６に示した処理と同じ流れであるので、その説明は省略する。
【００６８】
上述した例においては、受信した文書データにリンク情報が無い場合や、全てのリンク情報の貼り付けが終了した後は、完成した文書データを記憶部２７に保存するか、ユーザに送信するようにしているが（Ｓ１０８やＳ２０８など）、完成した文書データ（全てのリンク情報の貼り付けが終了したデータ）あるいは受信した文書データ（リンク情報が無い場合）を、プリンタ部２８で印刷するようにしても良い。
【図面の簡単な説明】
【００６９】
【図１】この発明の実施形態にかかるデータ処理装置が適用された画像処理システムを、処理手順と共に示す構成図である。
【図２】同じくデータ処理装置の電気的構成を示すブロック図である。
【図３】操作パネルにおける表示部の画面上の表示例を示す図である。
【図４】同じくデータ処理装置が行う処理の流れを示すフローチャートである。
【図５】この発明の他の実施形態にかかるデータ処理装置が適用された画像処理システムを、処理手順と共に示す構成図である。
【図６】同じくデータ処理装置が行う処理の流れを示すフローチャートである。
【図７】この発明のさらに他の実施形態にかかるデータ処理装置が適用された画像処理システムを、処理手順と共に示す構成図である。
【符号の説明】
【００７０】
１          ユーザ端末
３          ネットワーク
２１        ＣＰＵ（リンク情報抽出手段、貼り付け手段）
２５        送受信部
２６        スキャナ部
２７        記憶部（ボックス）
２９        操作パネル
２９０      表示部
【図１】
2005333477.tif 000003
【図２】
2005333477.tif 000004
【図３】
2005333477.tif 000005
【図４】
2005333477.tif 000006
【図５】
2005333477.tif 000007
【図６】
2005333477.tif 000008
【図７】
2005333477.tif 000009